(57)【要約】【課題】混合燃料を使用する内燃機関において、ＰＭの発生を抑制しつつ未燃燃料を低減する。【解決手段】内燃機関の制御装置（１００）は、軽油及びアルコールを夫々単独又は混合して燃料とする内燃機関（２００）を制御する。内燃機関の制御装置は、燃料中のアルコール濃度を検出するアルコール濃度検出手段（４２０）と、内燃機関の負荷を検出する負荷検出手段（４３０）と、燃料の噴射圧力を変更可能な燃料圧力調整手段（４５０）と、燃料中のアルコール濃度が高いほど、且つ内燃機関の負荷が低いほど、燃料の噴射圧力を低くするように燃料圧力調整手段を制御する制御手段（４４０）とを備える。【選択図】図１
2012255422.tif 000002
【特許請求の範囲】
【請求項１】
軽油及びアルコールを夫々単独又は混合して燃料とする内燃機関の制御装置であって、
前記燃料中のアルコール濃度を検出するアルコール濃度検出手段と、
前記内燃機関の負荷を検出する負荷検出手段と、
前記燃料の噴射圧力を変更可能な燃料圧力調整手段と、
前記燃料中のアルコール濃度が高いほど、且つ前記内燃機関の負荷が低いほど、前記燃料の噴射圧力を低くするように前記燃料圧力調整手段を制御する制御手段と
を備えることを特徴とする内燃機関の制御装置。
【請求項２】
前記燃料の給油を検出する給油検出手段を備え、
前記アルコール濃度検出手段は、前記給油が検出される度に前記燃料中のアルコール濃度を検出する
ことを特徴とする請求項１に記載の内燃機関の制御装置。
【発明の詳細な説明】
【技術分野】
【０００１】
本発明は、軽油及びアルコールを混合した混合燃料を使用可能な内燃機関の制御装置の技術分野に関する。
【背景技術】
【０００２】
この種の内燃機関では、複数種類の燃料を混合した混合燃料（例えば、軽油及びアルコールの混合燃料）を使用するものが知られている。混合燃料は、例えば異なる燃料タンクに夫々貯留された後に混合されることで、混合比率が可変とされる場合がある。この場合、混合燃料の混合比率は、内燃機関の運転状況等の各種条件に応じて適宜決定される。例えば特許文献１では、一方の燃料のみが排気ガス性状を悪化させるほどに過剰に噴射されることを防止するため、混合比率が一定濃度の範囲となるよう制御するという技術が提案されている。
【０００３】
他方で混合燃料は、混合される燃料の種類や混合比率に応じて噴射量が制御される場合がある。例えば特許文献２では、内燃機関の始動時の温度が所定範囲内である場合にアルコールを含む混合燃料の揮発性が高くなるという現象が起きるため、混合燃料がアルコールを含むか否かに応じて噴射量を補正するという技術が提案されている。
【先行技術文献】
【特許文献】
【０００４】
【特許文献１】特開平０６−３０７３０７号公報
【特許文献２】特開２００９−０７９５８２号公報
【発明の概要】
【発明が解決しようとする課題】
【０００５】
例えば、軽油及びアルコールを混合した混合燃料では、軽油の割合を少なくすると燃焼後の黒煙発生を抑制可能であるが、軽油が少なくなるほど着火性は悪くなる傾向にある。このように、混合燃料は、混合比率が変化することで特性も変化するため、混合比率に応じた燃料制御を行うことが好ましい。言い換えれば、混合比率に応じた燃料制御を行うことができなければ、実践上の様々な不都合が生じてしまうおそれがある。具体的には、上述した軽油及びアルコールを混合した混合燃料を使用する場合に適切な燃料制御が行われないとすれば、混合気の過希薄化や壁面付着により、未燃燃料が増大してしまうおそれがある。
【０００６】
ここで特許文献１では、混合燃料の混合比率の制御について記載されているものの、予め混合された混合燃料に対する噴射量制御については何ら記載されていない。また特許文献２では、アルコール燃料を含む混合燃料の始動機関における噴射量の制御について記載されているものの、上述した混合気の過希薄化や壁面付着の発生については何ら考慮されていない。よって、これらの技術には、混合燃料の混合比率に応じた適切な燃料制御が行えず、結果的に未燃燃料の増大等の不都合を回避するのが困難であるという技術的問題点がある。
【０００７】
本発明は、上述した問題点に鑑みなされたものであり、アルコールを含む混合燃料を使用する内燃機関において、未燃燃料を低減することが可能な内燃機関の制御装置を提供することを課題とする。
【課題を解決するための手段】
【０００８】
本発明の内燃機関の制御装置は上記課題を解決するために、軽油及びアルコールを夫々単独又は混合して燃料とする内燃機関の制御装置であって、前記燃料中のアルコール濃度を検出するアルコール濃度検出手段と、前記内燃機関の負荷を検出する負荷検出手段と、前記燃料の噴射圧力を変更可能な燃料圧力調整手段と、前記燃料中のアルコール濃度が高いほど、且つ前記内燃機関の負荷が低いほど、前記燃料の噴射圧力を低くするように前記燃料圧力調整手段を制御する制御手段とを備える。
【０００９】
本発明に係る内燃機関は、例えば車両に搭載される内燃機関であり、軽油及びアルコールを夫々単独又は混合して燃料として使用することが可能とされている。即ち、本発明に係る内燃機関は、軽油及びアルコールが様々な混合比率で混合された混合燃料によって運転することが可能である。内燃機関は、上述した混合燃料が気筒内部の燃焼室において燃焼した際に発生する力を、ピストン、コネクティングロッド及びクランク軸等の物理的又は機械的な伝達手段を適宜介して駆動力として取り出すことが可能に構成されている。
【００１０】
本発明に係る内燃機関の制御装置は、上述した内燃機関を制御する制御装置であって、例えば、一又は複数のＣＰＵ（Central Processing Unit）、ＭＰＵ（Micro Processing Unit）、各種プロセッサ又は各種コントローラ、或いは更にＲＯＭ（Read Only Memory）、ＲＡＭ（Random Access Memory）、バッファメモリ又はフラッシュメモリ等の各種記憶手段等を適宜に含み得る、単体の或いは複数のＥＣＵ（Electronic Controlled Unit）等の各種処理ユニット、各種コントローラ或いはマイコン装置等各種コンピュータシステム等の形態を採り得る。
【００１１】
本発明に係る内燃機関の制御装置の動作時には、アルコール濃度検出手段によって、燃料中のアルコール濃度が検出される。アルコール濃度検出手段は、例えば混合燃料が貯留される燃料タンクに設けられるアルコール濃度センサ等を含むものとして構成される。アルコール濃度検出手段は、燃料中のアルコール濃度を具体的な数値として検出するものであってもよいし、燃料中のアルコール濃度が予め設定された基準値より高いか低いかを検出する程度のものであってもよい。
【００１２】
本発明に係る内燃機関の制御装置の動作時には更に、負荷検出手段によって、内燃機関の負荷が検出される。負荷検出手段は、例えばスロットル開度、吸入空気量又はアクセル開度等を検出するセンサ等を含むものとして構成される。負荷検出手段は、内燃機関の負荷状態を具体的に数値化して検出するものであってもよいし、内燃機関の負荷状態が予め設定された基準より高いか低いかを検出する程度のものであってもよい。
【００１３】
本発明に係る内燃機関の制御装置によれば、上述したアルコール濃度検出手段によって検出されたアルコール濃度、及び負荷検出手段によって検出された内燃機関の負荷に応じて、燃料の噴射圧力が調整される。具体的には、燃料の噴射圧力を変更可能な燃料圧力調整手段が、アルコール濃度及び内燃機関の負荷に応じて噴射圧力を決定する制御手段によって制御される。
【００１４】
制御手段は特に、燃料中のアルコール濃度が高いほど、且つ内燃機関の負荷が低いほど、燃料の噴射圧力を低くするように燃料圧力調整手段を制御する。制御手段は、例えば内燃機関の負荷と燃料の噴射圧力との相関を示すマップを、アルコールの濃度別に複数記憶している。そして制御手段は、検出されたアルコール濃度に応じて適宜マップを切替えて燃料の噴射圧力を決定する。
【００１５】
ここでアルコールは、軽油と比べると、低セタン価であるため着火に要する時間が長い、低沸点なため燃料気化が早い、低動粘度及び低表面張力により噴霧が微粒化し気化し易いという特性を有している。このため、混合燃料におけるアルコールの混合比率（言い換えれば、アルコール濃度）が増加すると、混合気の希薄化や燃料の燃焼室壁面への付着が抑制できる。特に、圧縮端温度が低い低負荷条件では、このような効果が顕著に発揮される。
【００１６】
従って、アルコール濃度が高く、内燃機関の負荷が低い場合に燃料の噴射圧力を低下させれば、未燃燃料を低減することができる。尚、この背反として、混合気形成が悪化するが、アルコールは軽油と比べてＰＭ（Particulate Matter：粒子状物質）の生成量が少ない。よって、アルコール濃度が高い場合は、燃料の噴射圧力を低下させたとしても、ＰＭの発生を抑制することができる。
【００１７】
以上説明したように、本発明に係る内燃機関の制御装置によれば、アルコールを含む混合燃料を使用する内燃機関において、ＰＭの発生を抑制しつつ未燃燃料を低減することが可能である。
【００１８】
本発明の内燃機関の制御装置の一態様では、前記燃料の給油を検出する給油検出手段を備え、前記アルコール濃度検出手段は、前記給油が検出される度に前記燃料中のアルコール濃度を検出する。
【００１９】
この態様によれば、内燃機関への給油は、給油検出手段によって監視された状態となる。給油検出手段は、例えば燃料タンクにおける燃料の貯留量を検出するセンサ等を含むものとして構成されており、燃料の貯留量が増加した場合に給油を検出する。
【００２０】
本態様では特に、アルコール検出手段は、上述した給油検出手段によって給油が検出された場合にアルコール濃度を検出する。即ち、アルコール検出手段は、常時或いは定期的にアルコール濃度を検出する訳ではなく、給油が検出された場合（より具体的には、給油が終わった後）にアルコール濃度を検出する。
【００２１】
燃料タンクに貯留されている混合燃料のアルコール濃度は、異なる混合比率の混合燃料が給油された場合に変動する。言い換えれば、混合燃料のアルコール濃度は、給油が行われない限り大きく変動しないと考えられる。従って、給油が検出された場合にアルコール濃度を検出するようにすれば、アルコール濃度が変化し得るタイミングで効率的に検出を行うことができる。
【００２２】
本発明の作用及び他の利得は次に説明する発明を実施するための形態から明らかにされる。
【図面の簡単な説明】
【００２３】
【図１】エンジンシステムの全体構成を示す概略図である。
【図２】ＥＣＵの構成を示すブロック図である。
【図３】実施形態に係る内燃機関の制御装置による燃料噴射圧力の制御マップ変更処理を示すフローチャートである。
【図４】アルコール濃度と燃料噴射圧力との相関を示すグラフである。
【図５】実施形態に係る内燃機関の制御装置による燃料噴射制御処理を示すフローチャートである。
【図６】エンジン負荷と燃料噴射圧力との相関を示すグラフである。
【発明を実施するための形態】
【００２４】
以下では、本発明の実施形態について図を参照しつつ説明する。
【００２５】
先ず、本実施形態に係るエンジンシステム全体の構成について、図１を参照して説明する。ここに図１は、エンジンシステムの全体構成を示す概略図である。尚、図１では、説明の便宜上、エンジンシステムを構成する各要素のうち本実施形態と関わりの深いもののみを選択的に図示しており、その他の要素については適宜図示を省略してある。
【００２６】
図１において、本実施形態に係るエンジンシステムは主に、ＥＣＵ１００と、コンプレッサ１１０と、タービン１２０と、エンジン２００と、燃料タンク３００とを備えて構成されている。
【００２７】
ＥＣＵ１００は、本発明の「内燃機関の制御装置」の一例であり、例えばＣＰＵ、ＲＯＭ及びＲＡＭ等を備え、エンジンシステムの動作全体を制御する電子制御ユニットである。ＥＣＵ１００は、例えばＲＯＭ等に格納された制御プログラムに従って各種制御を実行可能に構成されている。ＥＣＵ１００の具体的な構成については、後に詳述する。
【００２８】
コンプレッサ１１０は、流入された空気を圧縮し、圧縮空気として下流に供給する。タービン１２０は、エンジン２００から排気管２１５を介して供給された排気を動力として回転する。タービン１１０は、シャフトを介してコンプレッサ１１０に連結されており、相互に一体に回転することが可能に構成されている。即ち、タービン１２０とコンプレッサ１１０とによって、ターボチャージャが構成されている。
【００２９】
エンジン２００は、例えば自動車等の車両の動力源たるディーゼルエンジンであり、本発明に係る「内燃機関」の一例である。エンジン２００は、シリンダブロック内に気筒２０１が４本直列に配置されてなる直列４気筒エンジンである。
【００３０】
エンジン２００における吸気側（即ち、気筒２０１より上流側）には、エアクリーナ１０１、吸気制御弁１０３、コンプレッサ１１０、インタークーラ１１３及びスロットル弁２０８が設けられている。
【００３１】
エアクリーナ１０１は、外部から吸入した空気を浄化し、吸気管１０２を介して、コンプレッサ１１０へと供給する。エアクリーナから供給される空気量は、吸気制御弁１０３によって制御される。コンプレッサ１１０の下流に設けられたインタークーラ１１３は、吸入空気を冷却して空気の過給効率を上昇させることが可能に構成されている。
【００３２】
インタークーラ１１３の下流には、スロットルバルブ２０８が設置されている。スロットルバルブ２０８は、ＥＣＵ１００と電気的に接続されたスロットルバルブモータ２０９によってその駆動状態が制御される構成となっている。スロットルバルブ２０８は、基本的には不図示のアクセルペダルの開度に応じたスロットル開度が得られるようにスロットルバルブモータ２０９を制御するが、スロットルバルブモータ２０９の動作制御を介してドライバの意思を介在させることなくスロットル開度を調整することも可能である。即ち、スロットルバルブ２０８は、一種の電子制御式スロットルバルブとして構成されている。
【００３３】
吸気側から気筒２０１内部に導かれた混合気は、圧縮着火方式によって点火せしめられ、気筒２０１内で爆発工程が行われる。爆発工程が行われると、燃焼済みの混合気（一部未燃状態の混合気を含む）は、爆発工程に続く排気工程において、不図示の排気ポートに排出される。排気ポートに排出された排気は、排気管２１５に導かれる。
【００３４】
エンジン２００における排気側（即ち、気筒２０１より下流側）には、ＥＧＲ管１１７と、ＨＰＬＥＧＲ制御弁１１８と、タービン１２０と、排気浄化触媒１２２とが設けられている。
【００３５】
ＥＧＲ管１１７は、エンジン２００から排出された排気管２１５における排気を、エンジン２００の吸気側である吸気管２０７に還流可能である。ＥＧＲ管１１７には、ＥＧＲ制御弁１１８が設けられており、ＥＧＲガスの量が調節可能とされている。ＥＧＲ制御弁１１８は、例えば全開及び全閉の二値的な開閉状態を採り得る電磁開閉弁であり、ＥＣＵ１００と電気的に接続されることによって、その開閉状態がＥＣＵ１００により制御される構成となっている。
【００３６】
排気浄化触媒１２２は、排気管１２１上に設けられており、タービン１２０を通過した排気中に含まれるＨＣ（炭化水素）、ＣＯ２（二酸化炭素）及びＮＯｘ（窒素酸化物）を夫々浄化する。
【００３７】
燃料タンク３００は、エンジン２００の燃料となる軽油及びアルコールの混合燃料を貯留している。燃料タンク３００に貯留された燃料は、燃料供給管３１０を介して、気筒２０１に燃料を噴射するインジェクタ２１０へと供給される。尚、インジェクタ２１０における燃料噴射圧力は可変であり、ＥＣＵ１００において制御されている。
【００３８】
燃料タンク３００に貯留されている燃料の量は、燃料センサ３２０によって検出され、ＥＣＵ１００に伝達可能とされている。また、燃料のアルコール濃度が、アルコール濃度センサ３３０によって検出され、ＥＣＵ１００に伝達可能とされている。尚、燃料のアルコール濃度は、燃料タンク３００ではなく、燃料供給管３１０等において検出可能とされてもよい。
【００３９】
次に、本実施形態に係る内燃機関の制御装置であるＥＣＵ１００の具体的な構成について、図２を参照して説明する。ここに図２は、ＥＣＵの構成を示すブロック図である。
【００４０】
図２において、ＥＣＵ１００は、給油検出部４１０と、アルコール濃度検出部４２０と、エンジン負荷検出部４３０と、燃料噴射圧力決定部４４０と、インジェクタ制御部４５０とを備えている。
【００４１】
給油検出部４１０は、本発明の「給油検出手段」の一例であり、燃料タンク３００に対する給油を検出する。具体的には、給油検出部４１０は、燃料タンク３００における燃料の残量を燃料センサ３２０によって検出し、燃料の残量が増加した場合に給油が行われたことを検出する。給油検出部４１０による給油の検出は、アルコール濃度検出部４２０へと伝達可能とされている。
【００４２】
アルコール濃度検出部４２０は、本発明の「アルコール濃度検出手段」の一例であり、燃料タンク３００内に貯留されている燃料のアルコール濃度を検出する。アルコール濃度検出部４２０は、燃料タンク３００に設けられたアルコール濃度センサ３３０を用いて燃料のアルコール濃度を検出する。尚、アルコール濃度は直接的に検出されるのではなく、間接的に算出されるような値（即ち、推定値）であってもよい。検出されたアルコール濃度は、燃料噴射圧力決定部４４０へと伝達可能とされている。
【００４３】
エンジン負荷検出部４３０は、本発明の「負荷検出手段」の一例であり、エンジン２００の負荷を検出する。エンジン負荷検出部４３０は、例えばスロットル開度、吸入空気量又はアクセル開度等を用いてエンジン２００の負荷を検出（言い換えれば、推定）する。検出されたエンジン２００の負荷は、燃料噴射圧力決定部４４０へと伝達可能とされている。
【００４４】
燃料噴射圧力決定部４４０は、本発明の「制御手段」の一例であり、インジェクタ２１０から噴射される燃料の圧力を決定する。具体的には、燃料噴射圧力決定部４４０は、アルコール濃度検出部４２０において検出された燃料のアルコール濃度、及びエンジン負荷検出部４３０において検出されたエンジン２００の負荷に応じて、燃料の噴射圧力を決定する。燃料噴射圧力決定部４４０は、例えば燃料のアルコール濃度、エンジン２００の負荷及び燃料の噴射圧力の相関を示すマップや数式等を記憶しており、それらを用いて燃料噴射圧力を決定する。
【００４５】
燃料噴射圧力制御部４５０は、本発明の「燃料圧力調整手段」の一例であり、インジェクタ２１０から噴射される燃料の圧力を調整可能とされている。燃料噴射圧力制御部４５０は、上述した燃料噴射圧力決定部４４０において決定された噴射圧力を実現するようにインジェクタ２１０等を制御する。
【００４６】
上述した各部位を含んで構成されたＥＣＵ１００は、一体的に構成された電子制御ユニットであり、上記各部位に係る動作は、全てＥＣＵ１００によって実行されるように構成されている。但し、本発明に係る上記部位の物理的、機械的及び電気的な構成はこれに限定されるものではなく、例えばこれら各部位は、複数のＥＣＵ、各種処理ユニット、各種コントローラ或いはマイコン装置等各種コンピュータシステム等として構成されていてもよい。
【００４７】
次に、本実施形態に係る内燃機関の制御装置であるＥＣＵ１００が行う処理及びその効果について、図３から図６を参照して説明する。
【００４８】
先ず、アルコール濃度に基づく燃料噴射圧力の制御マップの変更処理について、図３及び図４を参照して説明する。ここに図３は、本実施形態に係る内燃機関の制御装置による燃料噴射圧力の制御マップ変更処理を示すフローチャートである。また図４は、アルコール濃度と燃料噴射圧力との相関を示すグラフである。
図３において、本実施形態に係る内燃機関の制御装置の動作時には、先ず給油検出部４１０によって燃料が給油されたか否かが検出される（ステップＳ１０１）。尚、給油が検出されていない場合（ステップＳ１０１：ＮＯ）、以下に示す各処理は省略される。即ち、以下に示す各処理は、給油が行われたことを開始条件としている。
【００４９】
給油検出部４１０によって燃料の給油が検出されると（ステップＳ１０１：ＹＥＳ）、アルコール濃度検出部４２０によって燃料のアルコール濃度が検出される（ステップＳ１０２）。燃料タンク３００に貯留されている混合燃料のアルコール濃度は、異なる混合比率の混合燃料が給油された場合に変動する。言い換えれば、混合燃料のアルコール濃度は、給油が行われない限り大きく変動しないと考えられる。従って、給油が検出された場合にアルコール濃度を検出するようにすれば、アルコール濃度が変化し得るタイミングで効率的に検出を行うことができる。
【００５０】
アルコール濃度が検出されると、燃料噴射圧力決定部４４０では、検出されたアルコール濃度に基づいて、燃料噴射圧力を決定するための制御マップが変更される（ステップＳ１０３）。具体的には、燃料噴射圧力決定部４４０は、燃料噴射圧力を決定するための制御マップを、アルコール濃度別に複数記憶している。そして燃料噴射圧力決定部４４０は、複数の制御マップの中から検出されたアルコール濃度に対応する制御マップを選択する。これにより、アルコール濃度に応じた燃料噴射制御が行われることになる。
【００５１】
ここで特に、燃料噴射圧力を決定するための制御マップは、アルコール濃度が高くなるほど、燃料噴射圧力が低くなるように夫々設定されている。よって、アルコール濃度と燃料噴射圧力とは、例えば図４に示すような関係となる。
【００５２】
次に、燃料噴射圧力の制御マップに基づいた燃料噴射制御処理について、図５及び図６を参照して説明する。ここに図５は、本実施形態に係る内燃機関の制御装置による燃料噴射制御処理を示すフローチャートである。また図６は、エンジン負荷と燃料噴射圧力との相関を示すグラフである。
【００５３】
図５において、燃料噴射制御を行う場合には、先ずエンジン負荷検出部４３０によってエンジン２００の負荷が検出される（ステップＳ２０１）。
【００５４】
エンジン２００の負荷が検出されると、燃料噴射圧力決定部４４０では、制御マップを用いた燃料噴射圧力の決定が行われる（ステップＳ２０２）。具体的には、燃料噴射圧力決定部４４０が用いる制御マップは、図６に示すようにエンジン２００の負荷と燃料噴射圧力との相関を示すマップであり、エンジン２００の負荷が低くなるほど、燃料噴射圧力が低い値として決定される。
【００５５】
尚、図６に示すマップは、上述したように、複数のマップの中からアルコール濃度に応じて選択されたものである。よって、燃料噴射圧力は、アルコール濃度が高いほど、且つエンジン２００の負荷が低くなるほど、より低い値として決定される。
【００５６】
燃料噴射圧力決定部４４０において燃料噴射圧力が決定されると、燃料噴射圧力調整部４５０では、決定された値に応じた燃料噴射制御が行われる。これにより、燃料を噴射するインジェクタ２１０では、燃料噴射圧力決定部４４０において決定された噴射圧力が実現される。
【００５７】
ここで、混合燃料に含まれるアルコールは、軽油と比べると、低セタン価であるため着火に要する時間が長い、低沸点なため燃料気化が早い、低動粘度及び低表面張力により噴霧が微粒化し気化し易いという特性を有している。このため、混合燃料におけるアルコールの混合比率（言い換えれば、アルコール濃度）が増加すると、混合気の希薄化や燃料の燃焼室壁面への付着が抑制できる。特に、圧縮端温度が低い低負荷条件では、このような効果が顕著に発揮される。
【００５８】
従って、上述したように、アルコール濃度が高く、且つ内燃機関の負荷が低い場合に燃料の噴射圧力を低下させれば、未燃燃料を低減することができる。尚、この背反として、混合気形成が悪化するが、アルコールは軽油と比べてＰＭ生成量が少ない。よって、アルコール濃度が高い場合は、燃料の噴射圧力を低下させたとしても、ＰＭの発生を抑制することができる。
【００５９】
以上説明したように、本実施形態に係る内燃機関の制御装置によれば、アルコールを含む混合燃料を使用する内燃機関において、ＰＭの発生を抑制しつつ未燃燃料を低減することが可能である。
【００６０】
尚、上述した実施形態では、アルコール濃度に応じて制御マップが選択され、エンジン２００の負荷に応じて燃料噴射圧力を決定するという方法について説明したが、アルコール濃度が高いほど、且つエンジン２００の負荷が低くなるほど、燃料噴射圧力が低い値として決定されるような方法であれば、他の方法を用いてもよい。即ち、燃料噴射圧力を決定するための具体的な方法については、特に限定されない。
【００６１】
本発明は、上述した実施形態に限られるものではなく、特許請求の範囲及び明細書全体から読み取れる発明の要旨或いは思想に反しない範囲で適宜変更可能であり、そのような変更を伴う内燃機関の制御装置もまた本発明の技術的範囲に含まれるものである。
【符号の説明】
【００６２】
１００…ＥＣＵ、１０１…エアクリーナ、１１０…コンプレッサ、１１３…インタークーラ、１１７…ＥＧＲ管、１１８…ＥＧＲ制御弁、１２０…タービン、１２２…排気浄化触媒、２００…エンジン、２０１…気筒、２０７…吸気管、２０８…スロットル弁、２１０…インジェクタ、３００…燃料タンク、３１０…燃料供給管、３２０…燃料センサ、３３０…アルコール濃度センサ、４１０…給油検出部、４２０…アルコール濃度検出部、４３０…エンジン負荷検出部、４４０…燃料噴射圧力決定部、４５０…燃料噴射圧力制御部。
【図１】
2012255422.tif 000003
【図２】
2012255422.tif 000004
【図３】
2012255422.tif 000005
【図４】
2012255422.tif 000006
【図５】
2012255422.tif 000007
【図６】
2012255422.tif 000008